(57)【特許請求の範囲】
【請求項１】
待ち受け状態の移動局が、変更先の待ち受けセルを最初に選択した時点以降、所定周期で、所定情報を含むログ情報を生成して記憶する工程Ａと、
前記移動局が、待ち受けセルを変更した場合に、前記ログ情報を生成して記憶する工程Ｂと、
前記移動局が、アクティブ状態に遷移した後に、無線基地局に対して、記憶している前記ログ情報を送信する工程Ｃとを有することを特徴とする移動通信方法。
【請求項２】
前記工程Ｂにおいて、前記移動局は、前記所定情報として、変更先の待ち受けセルの識別情報、該変更先の待ち受けセルにおける無線品質、時刻情報、位置情報の少なくとも１つを含む前記ログ情報を生成して記憶することを特徴とする請求項１に記載の移動通信方法。
【請求項３】
移動局であって、
前記移動局が、待ち受け状態である場合に、変更先の待ち受けセルを最初に選択した時点以降、所定周期で、所定情報を含むログ情報を生成して記憶するように構成されている管理部と、
前記移動局が、アクティブ状態に遷移した後に、無線基地局に対して、記憶している前記ログ情報を送信するように構成されている送信部とを具備し、
前記移動局が、待ち受けセルを変更した場合に、前記管理部は、前記ログ情報を生成して記憶するように構成されていることを特徴とする移動局。
【請求項４】
前記管理部は、前記所定情報として、変更先の待ち受けセルの識別情報、該変更先の待ち受けセルにおける無線品質、時刻情報、位置情報の少なくとも１つを含む前記ログ情報を生成して記憶するように構成されていることを特徴とする請求項３に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式では、「ＭＤＴ（Ｍｉｎｉｍｉｓａｔｉｏｎ  ｏｆ  Ｄｒｉｖｅ  Ｔｅｓｔｓ）」が規定されている。
【０００３】
かかるＭＤＴのうち、「Ｌｏｇｇｅｄ  ＭＤＴ」では、移動局ＵＥは、「Ｌｏｇｇｅｄ  ＭＤＴ  ｍｅａｓｕｒｅｍｅｎｔ  ｐｅｒｉｏｄ」で規定されている周期で、「Ｐｅｒｉｏｄｉｃ  ＤＬ  Ｐｉｌｏｔ  Ｓｔｒｅｎｇｔｈ」を測定して、かかる測定結果を含むＭＤＴログを生成して記憶するように構成されている。
【先行技術文献】
【非特許文献】
【０００４】
【非特許文献１】３ＧＰＰ  ＴＲ３６.８０５
【非特許文献２】３ＧＰＰ  ＴＳ３７.３２０
【発明の概要】
【発明が解決しようとする課題】
【０００５】
しかしながら、従来の「Ｌｏｇｇｅｄ  ＭＤＴ」において、移動局ＵＥによって測定される「Ｐｅｒｉｏｄｉｃ  ＤＬ  Ｐｉｌｏｔ  Ｓｔｒｅｎｇｔｈ」だけでは、「Ｃｏｖｅｒａｇｅ  Ｏｐｔｉｍｉｓａｔｉｏｎ」を実現するためには不十分であるという問題点があった。
【０００６】
そこで、本発明は、上述の課題に鑑みてなされたものであり、「Ｌｏｇｇｅｄ  ＭＤＴ」において、「Ｃｏｖｅｒａｇｅ  Ｏｐｔｉｍｉｓａｔｉｏｎ」を実現するために必要な情報を取得することができる移動通信方法及び移動局を提供することを目的とする。
【課題を解決するための手段】
【０００７】
本発明の第１の特徴は、移動通信方法であって、待ち受け状態の移動局が、所定周期で、所定情報を含むログ情報を生成して記憶する工程Ａと、前記移動局が、待ち受けセルを変更した場合に、前記ログ情報を生成して記憶する工程Ｂと、前記移動局が、アクティブ状態に遷移した後に、無線基地局に対して、記憶している前記ログ情報を送信する工程Ｃとを有することを要旨とする。
【０００８】
本発明の第２の特徴は、移動局であって、前記移動局が、待ち受け状態である場合に、所定周期で、所定情報を含むログ情報を生成して記憶するように構成されている管理部と、前記移動局が、アクティブ状態に遷移した後に、無線基地局に対して、記憶している前記ログ情報を送信するように構成されている送信部とを具備し、前記移動局が、待ち受けセルを変更した場合に、前記管理部は、前記ログ情報を生成して記憶するように構成されていることを要旨とする。
【発明の効果】
【０００９】
以上説明したように、本発明によれば、「Ｌｏｇｇｅｄ  ＭＤＴ」において、「Ｃｏｖｅｒａｇｅ  Ｏｐｔｉｍｉｓａｔｉｏｎ」を実現するために必要な情報を取得することができる移動通信方法及び移動局を提供することができる。
【図面の簡単な説明】
【００１０】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を説明するための図である。
【発明を実施するための形態】
【００１１】
（本発明の第１の実施形態に係る移動通信システム）
図１乃至図３を参照して、本発明の第１の実施形態に係る移動通信システムについて説明する。
【００１２】
図１に示すように、本実施形態に係る移動通信システムは、ＬＴＥ方式の移動通信システムであって、セル＃１を管理する無線基地局ｅＮＢ＃１と、セル＃２を管理する無線基地局ｅＮＢ＃２とを具備している。
【００１３】
本実施形態に係る移動局ＵＥは、「Ｌｏｇｇｅｄ  ＭＤＴ」に対応可能であり、  図２に示すように、セル再選択部１１と、取得部１２と、ＭＤＴログ管理部１３と、送信部１４とを具備している。
【００１４】
セル再選択部１１は、所定条件を満たした場合に、セル再選択（Ｃｅｌｌ  Ｒｅｓｅｌｅｃｔｉｏｎ）を行うことによって、待ち受けセルを変更するように構成されている。
【００１５】
取得部１２は、ＭＤＴログを生成するために必要な所定情報を取得するように構成されている。
【００１６】
例えば、取得部１２は、所定情報として、所定セルにおける無線品質である「ＲＳＲＰ（Ｒｅｆｅｒｅｎｃｅ  Ｓｉｇｎａｌ  Ｒｅｃｅｉｖｅｄ  Ｐｏｗｅｒ）」や「ＲＳＲＰ（Ｒｅｆｅｒｅｎｃｅ  Ｓｉｇｎａｌ  Ｒｅｃｅｉｖｅｄ  Ｑｕａｌｉｔｙ）」や、「Ｔｉｍｅ  Ｓｔａｍｐ」や、「Ｌｏｃａｔｉｏｎ  Ｉｎｆｏｒｍａｔｉｏｎ」等を取得するように構成されている。
【００１７】
ここで、取得部１２は、所定セルにおける無線品質として、無線基地局ｅＮＢによって「ＭＤＴ  Ｃｏｎｆｉｇｕｒａｔｉｏｎ」によって指定されたセル（周波数）における無線品質を取得するように構成されていてもよい。
【００１８】
なお、取得部１２は、異なるタイミングで、「Ｌｏｃａｔｉｏｎ  Ｉｎｆｏｒｍａｔｉｏｎ」及び所定セルにおける無線品質を取得するように構成されていてもよい。
【００１９】
また、取得部１２は、所定情報として、セル再選択部１１によって待ち受けセルが変更された場合、変更先の待ち受けセルの識別情報である「Ｅ-ＣＧＩ（Ｅ-ＵＴＲＡＮ  Ｃｅｌｌ  Ｇｌｏｂａｌ  Ｉｄｅｎｔｉｆｉｅｒ）」や「ＰＣＩ（Ｐｈｙｓｉｃａｌ  Ｃｅｌｌ  Ｉｄｅｎｔｉｔｙ）」や、変更先の待ち受けセルにおける無線品質（ＲＳＲＰやＲＳＲＱ等）等を取得するように構成されている。
【００２０】
ＭＤＴログ管理部１３は、移動局ＵＥが待ち受け状態（ＲＲＣ_Ｉｄｌｅ状態）である場合に、「Ｌｏｇｇｅｄ  ＭＤＴ  ｍｅａｓｕｒｅｍｅｎｔ  ｐｅｒｉｏｄ」で規定されている周期で、取得部１２によって取得された所定情報を含むＭＤＴログを生成して記憶するように構成されている。
【００２１】
また、ＭＤＴログ管理部１３は、移動局ＵＥがセル再選択を行った場合、すなわち、セル再選択部１１によって待ち受けセルが変更された場合に、取得部１２によって取得された所定情報を含むＭＤＴログを生成して記憶するように構成されている。
【００２２】
かかる場合、ＭＤＴログ管理部１３は、変更先の待ち受けセルを最初に選択した時点以降、「Ｌｏｇｇｅｄ  ＭＤＴ  ｍｅａｓｕｒｅｍｅｎｔ  ｐｅｒｉｏｄ」で規定されている周期で、ＭＤＴログを生成して記憶するように構成されていてもよい。
【００２３】
送信部１４は、移動局ＵＥがアクティブ状態（ＲＲＣ_Ｃｏｎｎｅｃｔｅｄ状態）に遷移した後に、無線基地局ｅＮＢに対して、ＭＤＴログ管理部１３において記憶しているＭＤＴログを送信するように構成されている。
【００２４】
ここで、送信部１４は、移動局ＵＥがアクティブ状態に遷移したセルを管理する無線基地局ｅＮＢからの要求に応じて、ＭＤＴログ管理部１３において記憶しているＭＤＴログを送信するように構成されている。
【００２５】
以下、図３を参照して、本発明の第１の実施形態に係る移動通信システムの動作の一例について説明する。
【００２６】
移動局ＵＥは、セル＃１を待ち受けセルとしている場合には、「Ｌｏｇｇｅｄ  ＭＤＴ  ｍｅａｓｕｒｅｍｅｎｔ  ｐｅｒｉｏｄ」で規定されている周期で、図３の例では、時点ｔ１、ｔ２、ｔ３及びｔ４において、上述の所定情報を取得して、上述のＭＤＴログを生成して記憶する。
【００２７】
例えば、移動局ＵＥは、時点ｔ１、ｔ２、ｔ３及びｔ４において、セル＃１における無線品質や、「Ｔｉｍｅ  Ｓｔａｍｐ」や、「Ｌｏｃａｔｉｏｎ  Ｉｎｆｏｒｍａｔｉｏｎ」を含むＭＤＴログを生成して記憶する。
【００２８】
ここで、時刻ｔ１１において、移動局ＵＥは、セル再選択を行うことによって、待ち受けセルをセル＃１からセル＃２に変更し、セル＃２の「Ｅ-ＣＧＩ」や「ＰＣＩ」や、セル＃２における無線品質や、「Ｔｉｍｅ  Ｓｔａｍｐ」や、「Ｌｏｃａｔｉｏｎ  Ｉｎｆｏｒｍａｔｉｏｎ」を含むＭＤＴログを生成して記憶する。
【００２９】
その後、移動局ＵＥは、最初にセル＃２（変更先の待ち受けセル）を選択した時点ｔ１１以降、「Ｌｏｇｇｅｄ  ＭＤＴ  ｍｅａｓｕｒｅｍｅｎｔ  ｐｅｒｉｏｄ」で規定されている周期で、ＭＤＴログを生成して記憶する。ここで、移動局ＵＥは、時刻ｔ１１では、ＭＤＴログを生成して記憶してもよいし、ＭＤＴログを生成して記憶しなくてもよい。
【００３０】
すなわち、移動局ＵＥは、時刻ｔ５、ｔ６及びｔ７で、ＭＤＴログを生成して記憶する代わりに、時刻ｔ１２、ｔ１３及びｔ１４で、ＭＤＴログを生成して記憶する。
【００３１】
本発明の第１の実施形態に係る移動通信システムによれば、「Ｌｏｇｇｅｄ  ＭＤＴ」において、移動局ＵＥは、「Ｐｅｒｉｏｄｉｃ  ＤＬ  Ｐｉｌｏｔ  Ｓｔｒｅｎｇｔｈ」を含むＭＤＴログに加えて、待ち受けセルが変更された際に、変更先の待ち受けセルの「Ｅ-ＣＧＩ」や「ＰＣＩ」や、変更先の待ち受けセルにおける無線品質や、「Ｔｉｍｅ  Ｓｔａｍｐ」や、「Ｌｏｃａｔｉｏｎ  Ｉｎｆｏｒｍａｔｉｏｎ」を含むＭＤＴログを生成して記憶するように構成されているため、通信事業者は、「Ｌｏｇｇｅｄ  ＭＤＴ」において、「Ｃｏｖｅｒａｇｅ  Ｏｐｔｉｍｉｓａｔｉｏｎ」を実現するために必要な情報を収集することができる。
【００３２】
以上に述べた本実施形態の特徴は、以下のように表現されていてもよい。
【００３３】
本実施形態の第１の特徴は、移動通信方法であって、待ち受け状態の移動局ＵＥが、「Ｌｏｇｇｅｄ  ＭＤＴ  ｍｅａｓｕｒｅｍｅｎｔ  ｐｅｒｉｏｄ」で規定されている周期（所定周期）で、所定情報を含むＭＤＴログ（ログ情報）を生成して記憶する工程Ａと、移動局ＵＥが、待ち受けセルを変更した場合に、上述のＭＤＴログを生成して記憶する工程Ｂと、移動局ＵＥが、アクティブ状態に遷移した後に、無線基地局ｅＮＢに対して、記憶しているＭＤＴログを送信する工程Ｃとを有することを要旨とする。
【００３４】
本実施形態の第１の特徴において、工程Ｂにおいて、移動局ＵＥは、所定情報として、変更先の待ち受けセルの識別情報（Ｅ-ＣＧＩ、ＰＣＩ等）、変更先の待ち受けセルにおける無線品質（ＲＳＲＰ、ＲＳＲＱ等）、「Ｔｉｍｅ  Ｓｔａｍｐ（時刻情報）」、「Ｌｏｃａｔｉｏｎ  Ｉｎｆｏｒｍａｔｉｏｎ（位置情報）」の少なくとも１つを含む前記ログ情報を生成して記憶してもよい。
【００３５】
本実施形態の第１の特徴において、移動局ＵＥは、変更先の待ち受けセルを最初に選択した時点以降、「Ｌｏｇｇｅｄ  ＭＤＴ  ｍｅａｓｕｒｅｍｅｎｔ  ｐｅｒｉｏｄ」で規定されている周期で、ＭＤＴログを生成して記憶してもよい。
【００３６】
本実施形態の第２の特徴は、移動局ＵＥであって、移動局ＵＥが、待ち受け状態である場合に、「Ｌｏｇｇｅｄ  ＭＤＴ  ｍｅａｓｕｒｅｍｅｎｔ  ｐｅｒｉｏｄ」で規定されている周期で、所定情報を含むＭＤＴログを生成して記憶するように構成されているＭＤＴログ管理部１３と、移動局ＵＥが、アクティブ状態に遷移した後に、無線基地局ｅＮＢに対して、記憶しているＭＤＴログを送信するように構成されている送信部１４とを具備し、移動局ＵＥが、待ち受けセルを変更した場合（セル再選択を行った場合）に、ＭＤＴログ管理部１３は、ＭＤＴログを生成して記憶するように構成されていることを要旨とする。
【００３７】
本実施形態の第２の特徴において、ＭＤＴログ管理部１３は、所定情報として、変更先の待ち受けセルの識別情報（Ｅ-ＣＧＩ、ＰＣＩ等）、変更先の待ち受けセルにおける無線品質（ＲＳＲＰ、ＲＳＲＱ等）、「Ｔｉｍｅ  Ｓｔａｍｐ」、「Ｌｏｃａｔｉｏｎ  Ｉｎｆｏｒｍａｔｉｏｎ」の少なくとも１つを含むＭＤＴログを生成して記憶するように構成されていてもよい。
【００３８】
本実施形態の第２の特徴において、ＭＤＴログ管理部１３は、変更先の待ち受けセルを最初に選択した時点以降、「Ｌｏｇｇｅｄ  ＭＤＴ  ｍｅａｓｕｒｅｍｅｎｔ  ｐｅｒｉｏｄ」で規定されている周期で、ＭＤＴログを生成して記憶するように構成されていてもよい。
【００３９】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００４０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００４２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４３】
ＵＥ…移動局
ｅＮＢ…無線基地局
１１…セル再選択部
１２…取得部
１３…ＭＤＴログ管理部
１４…送信部
【図１】
0005277220.tif 000002
【図２】
0005277220.tif 000003
【図３】
0005277220.tif 000004